(57)【要約】【課題】賃貸建設機械の使用量を自動的に把握する為に、センサーの取付け・接続だけで作動させられる建設機械使用回数カウント装置の提供と、それを使用した予納配置型という建設機械賃貸方法の新しい態様の創造を課題とする。【解決手段】要求データーを絞りこむことで省電力・コンパクト化を図り内蔵型電源の装置にする事で建設機械側の電源関係各装置等を必要とする事なく、賃貸建設機械とは本装置の取付けとセンサーの接続だけで作動させられる事になった。更にこの装置を使用する事で、ユーザー単位或いは各種複数台セットで現場・催事場単位のかたちで予め納入し及び配置したままにしながらも、使用量は使用した分のみを自動的に把握できる予納配置型という新しい賃貸方法を創造できる事になった。【選択図】    図１
2004204663.tif 000002
【特許請求の範囲】
【請求項１】
賃貸建設機械の停止状態と運転状態を判別するセンサーで検出された様々な運転時間のうち、任意の条件で設定されたカウント条件に合致した運転回数をカウント・表示し及び順次積算する機能を有し、本装置に電源を内蔵し賃貸建設機械とは本装置、及び本装置の一部を成すセンサーの取付け・接続だけで作動させられる事を特徴とする建設機械使用回数カウント装置。
【請求項２】
カウント実行時にその信号電波を発する装置を付加した請求項１記載の建設機械使用回数カウント装置を取付けた各種賃貸建設機械を複数台にて予め納入後、限定された稼動範囲内で使用し、それらのカウント実行信号電波を管理用施設内の使用回数集中管理装置において受信する事により、各種賃貸建設機械の使用回数を記憶及び表示し、もってその使用量を一括把握及び管理し、及びその使用回数に基づいて料金算出する事を特徴とする予納配置型賃貸方法。
【請求項３】
前項予納配置型賃貸方法において、使用回数集中管理装置で記憶したデーターを無線或いは有線で賃貸会社に送信する事を特徴とする請求項２記載の予納配置型賃貸方法。
【請求項４】
請求項１記載の建設機械使用回数カウント装置の取付けられた各種賃貸建設機械を、稼動場所非限定にてユーザー都合のまま使用する態様でユーザーに予め納入し、この建設機械使用回数カウント装置で把握した使用回数に基づいて賃貸料金を算出する事を特徴とする予納配置型賃貸方法。
【発明の詳細な説明】
【０００１】
【発明の属する技術分野】
本発明は賃貸建設機械の使用量把握において建設機械とは建設機械使用回数カウント装置の取付けとその一部を成すセンサーの接続だけで作動させられるという簡単装置にした事によりバッテリーのない、建設機械にも採用できる様にした建設機械使用回数カウント装置に関するものであり、更に本発明品を使用する事によって実現可能となった従来では考えられなかった各種態様の予納配置型賃貸方法に関するものである。
【０００２】
【従来の技術】
従来の賃貸料金算出の為の機械使用量確認は、賃貸期間が短期の場合は貸出日から返却日までの間の期間（日数）であり、長期（月極・年極）の場合は事前契約による定額制が普通のかたちであった。従って短期の場合、ユーザーは使用しなくとも賃貸料金がかかるというロスを避ける為にはその都度返却し、次また使用したいときには、また引取もしくは納品を依頼する（費用が発生する）という煩わしさ・ロスがあったし、賃貸会社にとっても場合によっては天候関係・工程関係等の理由でユーザーからの値引き要請といったロスもあった。また長期（月極・年極）の場合の定額制もこれまでは使用量の把握において合理的・自動的な方法がなかったという事からくる次善的な方法であって、稼動実態に即した賃貸料金の設定を望むという潜在的ニーズを満たしている訳ではなかった。
その為、料金算出を目的とした使用量把握の為の様々なシステムが公開されている。例えば、特許公開公報「特許公開２０００−１８０５６８」「特許公開２００２−１０９０２７」「特許公開２００２−２８５５８３」等であるが、これらはいずれも、
（１）システムを成立・機能させる為にはセンサーの接続だけでなく賃貸建設機械側にバッテリー等の電源関係各装置等を必要とし、エンジンアワメーター・エンジン回転数検出手段を備えた油圧ショベル等の大型建設機械を対象としている。
（２）収集データーもエンジン始動日時・エンジン停止日時・稼動時間・稼働時間積算値・エンジン回転数であって運転・停止の判別のみならず運転詳細状況までの把握が必要となっている。その為装置も複雑・高機能なので、上記以外の小型建設機械に採用するにはコスト・設置スペース条件等で不可能であった。
（３）システムの各種装置も防雨・防振対策が容易にとれる様な、最適設置スペースを選定・確保できる事が前提となっている。
（４）従来の建設機械賃貸の基本的ながれである、ユーザーからの発注⇒引取か納品⇒稼動⇒返却か引取という態様はそのままで、賃貸料金の算出システム自体が「発明が解決しようとする課題」になっている。従って、ユーザー保有機と比較した場合の賃貸建設機械の即応性・簡便性の限界を打破するものとはなっていない。
（５）従来の建設機械賃貸の態様としては、常に単数台単位での展開を前提にしたシステムであって、各種複数台を一括賃貸し自動的に使用量を把握するという賃貸方法はこれまでには存在しなかった。
【０００３】
【発明が解決しようとする課題】
そこで本発明は電源内蔵で賃貸建設機械とは本発明品及びその一部を成すセンサーの取付け・接続だけで作動させられ、省電力・小型化・耐振動型・耐全天候型で合理的な機械使用量の自動的把握装置の提供と、更に本装置を使用して予納配置型賃貸方法という建設機械賃貸方法において、新しい態様を構築する事を課題とする。
【０００４】
【課題を解決する手段】
そこで本発明は前項の課題を解決する為に
【０００５】請求項１記載の発明は収集データーを絞込み、省電力コンパクトタイプで内蔵型電源の装置とする事により、即ち賃貸建設機械の運転状態と停止状態を判別するセンサーで検出された様々な運転時間のうち、任意の条件で設定されたカウント条件に合致した運転回数のみをカウントし、及び順次積算する機能を有し内蔵電源とする事により賃貸建設機械とはセンサーの接続だけで作動させられる様にした事を特徴としている。
【０００６】請求項２記載の発明は、カウント実行時にその信号電波を発する装置を付加した請求項１記載の建設機械使用回数カウント装置を各種賃貸建設機械に取付けて、工事現場・催事場等に必要と見込まれる各種複数台にて予納配置型として予め納入し、それらの使用回数を管理用施設内の使用回数集中管理装置において受信する事により使用回数を記憶及び表示し、もって賃貸建設機械の使用量を一括把握及び管理できる様にした事を特徴とする。
【０００７】請求項３記載の発明は請求項２記載の予納配置型賃貸方法において、使用回数集中管理装置で記憶したデーターを無線或いは有線で賃貸会社に送信できる様にした事を特徴とする。
【０００８】請求項４記載の発明は賃貸建設機械に請求項１記載の建設機械使用回数カウント装置を取付けて具体的・直近的使用予定の有無に関係なく、予納配置型として予めユーザーに納入し、それの使用状況は建設機械使用回数カウント装置で把握管理する様にした事を特徴とする。
【０００９】
【発明の実施の形態】
カウント条件は任意設定事項なので、ここでは一例として、
（１）連続１０分間以上運転したら１回とカウントする。
（２）上記の運転が何回あっても同一年月日では２回目以降はカウントしない、というカウント条件にして、実施の形態を説明する。
【００１０】
請求項１発明の建設機械使用回数カウント装置は「内蔵型電源」・「ＣＰＵ」・「カウントメーター」と、この装置に接続する「運転・停止判別用センサー」から成り、ＣＰＵは任意設定されたカウント条件でカウントメーターにカウントし表示する。
【００１１】
（実施の形態１）ガソリンエンジンを動力源とし、点火プラグコード周囲に発生する磁気により作動するセンサーの場合を図１に基づいて説明する。
（１）前記の実施例カウント条件を設定変更可能のかたちで建設機械使用回数カウント装置４内のＣＰＵ４ｂに設定する。
（２）建設機械使用回数カウント装置４を賃貸建設機械に取付ける。
（３）点火プラグ１にスパークさせる時に点火プラグコード２の周囲に発生する磁気を検出するセンサー３をこの点火プラグコード２に取付け、建設機械使用回数カウント装置４内のＣＰＵ４ｂと接続する。この状態でエンジンが運転されるまで待機状態となる。
（４）エンジン５の運転が始まると点火プラグコード２の周囲に発生する磁気により、センサー３がＣＰＵ４ｂ内の運転時間計測回路を起動させるスイッチ作用をなしＣＰＵ４ｂは運転時間の計測を開始する。
（５）ＣＰＵ４ｂは運転時間が１０分間以上になると１回の運転があったと認識しカウントメーター４ｃに１回をカウントする。但し、同一年月日においては何回１０分間以上の運転があったと認識しても２回目以降はカウントされない。
（６）同一年月日でない時に１０分間以上運転があればカウントメーター４ｃにカウントし、前回までの積算値に加算される。
【００１２】
（実施の形態２）ガソリンエンジンを動力源とし、排気ガス圧力を受けて作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）排気管に排気ガス圧力を受けて作動するセンサーを取付け、建設機械使用回数カウント装置内のＣＰＵと接続する。この状態でエンジンが運転されるまで待機状態となる。
（４）エンジンの運転が始まると、排気管内に発生する排気ガス圧力を受けたセンサーは電気抵抗の変化により、ＣＰＵ内の運転時間計測回路を起動させるスイッチ作用を成しＣＰＵは運転時間の計測を開始する。
（５）ＣＰＵは運転時間が１０分間以上になると１回の運転があったと認識しカウントメーターに１回をカウントする。但し、同一年月日においては何回１０分間以上の運転があったと認識しても２回目以降はカウントされない。
（６）同一年月日でない時に１０分間以上運転があればカウントメーターにカウントし、前回までの積算値に加算される。
【００１３】
（実施の形態３）ガソリンエンジンを動力源とし、排気ガス成分を感知する事により作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
排気管に排気ガス成分を感知する事により作動するセンサーを取付け、建設機械
（３）使用回数カウント装置内のＣＰＵと接続する。この状態でエンジンが運転されるまで待機状態となる。
（４）エンジンの運転が始まると、排気管内に排出されてくる排気ガスを受けたセンサーは電気抵抗の変化により、ＣＰＵ内の運転時間計測回路を起動させるスイッチ作用を成しＣＰＵは運転時間の計測を開始する。
以下は（実施の形態２）の（５）・（６）と同じ。
本項においてのセンサーの好適例としては「Ｏ２センサー」が考えられる。
【００１４】
（実施の形態４）ガソリンエンジンを動力源とし、エンジンノイズを感知（周波数同調型もしくは音圧感知型）する事により作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）排気管もしくはエンジン周囲にエンジンノイズを感知（周波数同調型もしくは音圧感知型）する事により作動するセンサーを取付け建設機械使用回数カウント装置内のＣＰＵと接続する。この状態でエンジンが運転されるまで待機状態となる。
（４）エンジンの運転が始まると、排気管やエンジン周囲に発生するエンジンノイズを受けたセンサーは電気抵抗の変化により、ＣＰＵ内の運転時間計測回路を起動させるスイッチ作用を成しＣＰＵは運転時間の計測を開始する。
以下は（実施の形態２）の（５）・（６）と同じ。
【００１５】
（実施の形態５）ガソリンエンジンを動力源とし、エンジンの振動を感知する事により作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）賃貸建設機械内のエンジン振動を検出できる部位にエンジンの振動を感知する事により作動するセンサーを取付け建設機械使用回数カウント装置内のＣＰＵと接続する。この状態でエンジンが運転されるまで待機状態となる。
（４）エンジンの運転が始まるとその振動を感知したセンサーは、電気抵抗の変化により、ＣＰＵ内の運転時間計測回路を起動させるスイッチ作用を成しＣＰＵは運転時間の計測を開始する。
以下は（実施の形態２）の（５）・（６）と同じ。
【００１６】
（実施の形態６）ガソリンエンジンを動力源とし、回転運動を感知する事により作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）エンジン、もしくはそれによる回転体付近に回転運動を感知するセンサーを取付け建設機械使用回数カウント装置内のＣＰＵと接続する。この状態でエンジンが運転されるまで待機状態となる。
（４）エンジンの運転が始まるとその回転もしくはそれによる回転を感知したセンサーは、電気抵抗の変化により、ＣＰＵ内の運転時間計測回路を起動させるスイッチ作用を成しＣＰＵは運転時間の計測を開始する。
以下は（実施の形態２）の（５）・（６）と同じ。
【００１７】
（実施の形態７）ガソリンエンジンを動力源とし、その充電回路をセンサーとして利用する場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）充電の有無を認識できる様にエンジンの充電回路と建設機械使用回数カウント装置内のＣＰＵを接続する。この状態でエンジンが運転されるまで待機状態となる。
（４）エンジンの運転が始まると、充電開始を認識する事によりＣＰＵ内の運転時間計測回路が起動しＣＰＵは運転時間の計測を開始する。
以下は（実施の形態２）の（５）・（６）と同じ。
【００１８】
（実施の形態８）ジーゼルエンジンを動力源とし、インジェクションパイプの圧力波動を感知して作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）圧力波動を感知して作動するセンサーをインジェクションパイプに取付け、建設機械使用回数カウント装置内のＣＰＵと接続する。この状態でエンジンが運転されるまで待機状態となる。
（４）エンジンの運転が始まるとインジェクションパイプに発生する圧力波動を感知したセンサーが、電気抵抗の変化により内ＣＰＵの運転時間計測回路を起動させるスイッチ作用を成しＣＰＵは運転時間の計測を開始する。
以下は（実施の形態２）の（５）・（６）と同じ。
【００１９】
（実施の形態９）ジーゼルエンジンを動力源とし、エンジンの振動を感知して作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）賃貸建設機械のエンジン振動を検出できる部位にエンジンの振動を感知する事により作動するセンサーを取付け建設機械使用回数カウント装置内のＣＰＵと接続する。この状態でエンジンが運転されるまで待機状態となる。
（４）エンジンの運転が始まるとその振動を感知したセンサーは、電気抵抗の変化により、ＣＰＵ内の運転時間計測回路を起動させるスイッチ作用を成しＣＰＵは運転時間の計測を開始する。
以下は（実施の形態２）の（５）・（６）と同じ。
【００２０】
（実施の形態１０）ジーゼルエンジンを動力源とし、エンジンノイズを感知（周波数同調型もしくは音圧感知型）する事により作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）排気管もしくはエンジン周囲にエンジンノイズを感知（周波数同調型もしくは音圧感知型）する事により作動するセンサーを取付け、建設機械使用回数カウント装置内のＣＰＵと接続する。この状態でエンジンが運転されるまで待機状態となる。
（４）エンジンの運転が始まると、排気管やエンジン周囲に発生するエンジンノイズを受けたセンサーは電気抵抗の変化により、ＣＰＵ内の運転時間計測回路を起動させるスイッチ作用を成しＣＰＵは運転時間の計測を開始する。
以下は（実施の形態２）の（５）・（６）と同じ。
【００２１】
（実施の形態１１）ジーゼルエンジンを動力源とし、回転運動を感知する事により作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）エンジンの、もしくはそれによる回転体付近に回転運動を感知するセンサーを取付け建設機械使用回数カウント装置内のＣＰＵと接続する。この状態でエンジンが運転されるまで待機状態となる。
（４）エンジンの運転が始まるとその回転もしくはそれによる回転を感知したセンサーは、電気抵抗の変化により、ＣＰＵ内の運転時間計測回路を起動させるスイッチ作用を成しＣＰＵは運転時間の計測を開始する。
以下は（実施の形態２）の（５）・（６）と同じ。
【００２２】
（実施の形態１２）ジーゼルエンジンを動力源とし、排気ガス成分を感知する事により作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）排気管に排気ガス成分を感知する事により作動するセンサーを取付け建設機械使用回数カウント装置内のＣＰＵと接続する。この状態でエンジンが運転されるまで待機状態となる。
（４）エンジンの運転が始まると、排気管内に排出されてくる排気ガス成分の変化を受けたセンサーは電気抵抗の変化により、ＣＰＵ内の運転時間計測回路を起動させるスイッチ作用を成しＣＰＵは運転時間の計測を開始する。
以下は（実施の形態２）の（５）・（６）と同じ。
本項においてのセンサーの好適例としては「Ｏ２センサー」が考えられる。
【００２３】
（実施の形態１３）ジーゼルエンジンを動力源とし、排気ガス圧力を受けて作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）排気管に排気ガス圧力を受けて作動するセンサーを取付け、建設機械使用回数カウント装置内のＣＰＵと接続する。この状態でエンジンが運転されるまで待機状態となる。
（４）エンジンの運転が始まると、排気管内に発生する排気ガス圧力を受けたセンサーは電気抵抗の変化により、ＣＰＵ内の運転時間計測回路を起動させるスイッチ作用を成しＣＰＵは運転時間の計測を開始する。
以下は（実施の形態２）の（５）・（６）と同じ。
【００２４】
（実施の形態１４）ジーゼルエンジンを動力源とし、その充電回路をセンサーとして利用する場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）充電の有無を認識できる様にエンジンの充電回路と建設機械使用回数カウント装置内のＣＰＵを接続する。この状態でエンジンが運転されるまで待機状態となる。
（４）エンジンの運転が始まると、充電開始を認識する事によりＣＰＵ内の運転時間計測回路が起動しＣＰＵは運転時間の計測を開始する。
以下は（実施の形態２）の（５）・（６）と同じ。
【００２５】
（実施の形態１５）電動モーターを動力源とし、モーター回転を感知する事により作動するセンサーの場合。
（１）前記の実施例カウント条件を設定変更可能のかたちで建設機械使用回数カウント装置内のＣＰＵに設定する。
（２）建設機械使用回数カウント装置を賃貸建設機械に取付ける。
（３）モーター付近、もしくはそれによる回転体付近に回転を感知するセンサーを取付け建設機械使用回数カウント装置内のＣＰＵと接続する。この状態でモーターが運転されるまで待機状態となる。
（４）モーターの運転が始まると回転を感知したセンサーは、電気抵抗の変化により、ＣＰＵ内の運転時間計測回路を起動させるスイッチ作用を成しＣＰＵは運転時間の計測を開始する。
以下は（実施の形態２）の（５）・（６）と同じ。
【００２６】
（実施の形態１６）電動モーターを動力源とし、そのセンサーとしてスイッチ回路利用の場合を図２に基づいて説明する。
（１）前記の実施例カウント条件を設定変更可能のかたちで建設機械使用回数カウント装置４内のＣＰＵ４ｂに設定する。
（２）建設機械使用回数カウント装置４を賃貸建設機械に取付ける。
（３）電動モーター７を動力源としそのスイッチ８の動作による電気的変化を利用する事によって、建設機械使用回数カウント装置４にあるＣＰＵ４ｂ内の運転時間計測回路を起動させるスイッチ作用を成しＣＰＵ４ｂは運転時間の計測を開始する。
以下は（実施の形態２）の（５）・（６）と同じ。
【００２７】
（実施の形態１７）請求項２発明の実施の形態を、図３及び図４に基づいて説明すると、前記請求項１の実施の形態（１〜１４）において、
（１）建設機械使用回数カウント装置４にカウント時だけ、カウント実行の信号電波を発する発信装置４ｄを付加する。
（２）前記各装置の働きによりカウント条件に合致した稼動があると、管理用施設内の使用回数集中管理装置１０でそれぞれの賃貸建設機械毎に使用のあった事を受信すると、メモリー１０ｂに記憶し及び機械別カウントメーター１０ｃにカウントし表示する。
（３）この様にした賃貸建設機械を、使用回数集中管理装置１０をセットした管理用施設と共に工事現場・催事場等で必要と見込まれる各種複数台にて予め納品する。この際、管理用施設内にある使用回数集中管理装置１０の機械別カウントメーター１０ｃ及びメモリー１０ｂを初期状態にリセットする、もしくは現表示値を記録しておく。この後、継続的或いは断続的稼動が見込めるうちは納品状態を継続した態様、即ち予納配置型とする。
（４）この様にして現場・催事場に予納配置型として予納配置された賃貸建設機械を現場・催事場内でユーザー保有機と同じ様に自由に使用する。
（５）すると、連続１０分間以上使用のあった日だけが１日につき１回ずつだけ自動的にカウントされ、積算されていく。
（６）この様な形態で使用し続け、例えば納入１ヵ月後に機械別カウントメーターを読み取るもしくは、現表示値から納入時表示値を減ずればその１ヶ月間の賃貸建設機械毎の使用回数を正確に把握できる。
（７）これに賃貸建設機械それぞれの賃貸単価を乗ずれば、賃貸建設機械毎のその１ヶ月間の賃貸料金が算出される。
【００２８】
（実施の形態１８）請求項３発明の実施の形態を図４に基づいて説明すると請求項２の賃貸方法において使用回数集中管理装置１０に記憶したデーターを無線もしくは有線で賃貸会社に送信する。賃貸会社では受信したデーターに基づいて、各種賃貸機械毎・複数台の賃貸料金を管理用施設に出張する事なく算出できる。
【００２９】
（実施の形態１９）請求項４発明の実施の形態は、
（１）請求項１の実施の形態（其の１〜１４）に示された状態でユーザーに予納配置型として納入する。この時、建設機械使用回数カウント装置のカウントメーターをリセットする、もしくはその表示値を記録しておく。
（２）ユーザーは自己保有機と同じく、稼動場所を固定されることなく自由に使用する。
（３）すると、連続１０分間以上使用のあった日だけが１日につき１回ずつだけ自動的にカウントされ、積算されていく。
（４）この様な形態で使用し続け、例えば納入後１ヵ月後にカウントメーターを読み取る、もしくは現表示値から納入時表示値を減ずればその１ヶ月間の賃貸建設機械の使用回数を正確に把握できる。
（５）これにその賃貸建設機械の賃貸単価を乗ずれば、その１ヶ月間の賃貸料金が算出される。
【００３０】
【発明の効果】
収集データーを絞込み、省電力のコンパクトタイプとし内蔵型電源とする事により、従来は実現できなかったバッテリーのない建設機械でも機械使用量の自動的把握が初めて可能になった。
この装置を使用する事によって現場・催事場配置で、或いはユーザー配置での予納配置型賃貸を実現でき、この事によって賃貸建設機械の持つ経費削減効果・信頼性とユーザー保有機の持つ即応性・簡便性を同時に実現できる事になった。
更に賃貸会社にとっては、売上ロス削減のみならず日常賃貸業務の効率化・平準化・マニュアル化を図ることができ、高齢者や非熟練者雇用にも結びつけられ易いという波及効果を期待できる様に、従来にはない建設機械の新しい賃貸システムを創造できる事になった。
また、現場・催事場等に各種複数台を一括納入する事は、ユーザーにとってはロスのない効率的機械調達と使用量把握の日常的業務からの開放であり、賃貸会社にとっては入出庫業務と営業の効率化となる。
【図面の簡単な説明】
【図１】本発明の実施の形態１の説明図である。
【図２】本発明の実施の形態１６の説明図である。
【図３】本発明の実施の形態１７の「発信装置」を付加した状態を示す        説明図である。
【図４】本発明の実施の形態１７中の「使用回数集中管理装置」の説明図である。
【符号の説明】
１  点火プラグ
２  プラグコード
３  磁気の変化を検出するセンサー
４  建設機械使用回数カウント装置
４ａ  内蔵型電源
４ｂ  ＣＰＵ
４ｃ  カウントメーター
４ｄ  発信装置
５  ガソリンエンジン
６  作業装置
７  電動モーター
８  スイッチ
９  差込プラグ
１０  使用回数集中管理装置
１０ａ  送受信装置
１０ｂ  メモリー
１０ｃ  機械別カウントメーター
【図１】
2004204663.tif 000003
【図２】
2004204663.tif 000004
【図３】
2004204663.tif 000005
【図４】
2004204663.tif 000006